(57)【要約】      （修正有）【課題】保冷剤を台襟付きシャツに容易に隠し入れることができ、かつ脱落させないようにすることで、夏場の通勤や野外作業時などにおけるシャツ着用者の首周りを冷やし、暑さを軽減する保冷シャツを提供する。【解決手段】台襟と保冷部材を含む。保冷部材は、保冷剤が合成樹脂製の袋体に封入され、かつ袋体が横一列に接着代を介して複数連結されている。台襟は、保冷部材を着用時に見えないように保持すると共に台襟の横方向で出し入れ可能な保冷部材保持部を備え、保冷部材保持部は、左右が開口したベルト通しの形状で、台襟の内台襟または外台襟に単数または複数縫製され、かつ横の長さは０．５ｃｍ〜５０ｃｍである。【選択図】図１
0003175213.tif 000002
【実用新案登録請求の範囲】
【請求項１】
保冷剤が合成樹脂製の袋体に封入され、かつ前記袋体が横一列に接着代を介して複数連結されている保冷部材と、
前記台襟は、前記保冷部材を着用時に見えないように保持すると共に前記台襟の横方向で出し入れ可能な保冷部材保持部を備え、
前記保冷部材保持部は、左右が開口したベルト通しの形状で、前記台襟の内台襟または外台襟に単数または複数縫製され、かつ横の長さは０．５ｃｍ〜５０ｃｍであり、
利用者は冷却した前記保冷部材を前記保冷部材保持部に挿入して首周りを冷却することを特徴とする保冷シャツ。
【請求項２】
保冷剤が合成樹脂製の袋体に封入され、かつ前記袋体が横一列に接着代を介して複数連結されている保冷部材と、
前記台襟は、前記保冷部材を着用時に見えないように保持すると共に前記台襟の上部から出し入れ可能にする開口部を有する保冷部材保持部を備え、
前記保冷部材保持部は前記台襟の外台襟と内台襟の間に形成され、かつ台襟の外台襟上部が前記台襟の横方向の１／４〜３／４の長さで開口しており、
さらに前記保冷部材を固定するために前記台襟の中央部から前記保冷部材の横方向１／２の長さの左右各々の位置が縫合されており、
利用者は冷却した前記保冷部材を前記保冷部材保持部に挿入して首周りを冷却することを特徴とする保冷シャツ。
【考案の詳細な説明】
【技術分野】
【０００１】
本考案は、利用者の首周りを冷却する台襟に保冷部材を保持したシャツに関するものである。
【背景技術】
【０００２】
従来、衣服に保冷剤を入れることによる夏の暑さ対策が、いろいろと行われて来ている。
例えば、保冷剤を用いるが、重量を増すことなく、数倍も長く保冷効果が継続する保冷服を提供することを目的として、体を被う服に多数の保持部を、その素材の表面と裏面とに設け、表面の保持部に融点の低い保冷剤バックを、裏面の保持部に融点の高い保冷剤バックをそれぞれ納めたことを特徴とする保冷服（特許文献１を参照）が提供されている。
しかし、この保冷服では通常着る衣服の他に特殊な服を別に着ることが必要であり、一般のビジネスマンなどが夏に外出する際に着用するには不適当である。
【０００３】
また、風の強さなどの自然条件に影響されることなく冷却効果が得られ、首に巻いた場合には服が濡れないようにすることを目的として、表裏両面がフェルト地のポケットを布地に取り付け、ポケットに保冷剤を出し入れ可能に設けてあり、また、二つのポケットを一列に並べ、両ポケットは、フェルト地を二つ折りして長方形にすると共に重ね合わせた縁部を逢着し、フェルト地の表面の横幅中央部に縦向きのスリットを備え、スリットを両ポケットの共通の入口としても良い保冷用装身具（特許文献２を参照）が提供されている。
【先行技術文献】
【特許文献】
【０００４】
【特許文献１】特開２００９−１２７１４７号公報
【特許文献２】特開２００３−５５８２３号公報
【考案の概要】
【考案が解決しようとする課題】
【０００５】
しかし、特許文献２に記載の保冷用装身具の場合でも、通常着用する衣服の他に、本保冷用装身具を別に着用することが必要となる。
そこで、本考案の目的は、保冷用の衣服や装身具を別に着用することなく、保冷剤を台襟付きシャツに容易に隠し入れることができ、かつ脱落させないようにすることで、夏場の台襟付きシャツ着用者の通勤や野外作業時などにおける首周りを冷やし、暑さを軽減することを実現することである。
【課題を解決するための手段】
【０００６】
上記の課題を解決するために、本考案にかかる保冷シャツは、保冷剤が合成樹脂製の袋体に封入され、かつ前記袋体が横一列に接着代を介して複数連結されている保冷部材と、前記台襟は、前記保冷部材を着用時に見えないように保持すると共に前記台襟の横方向で出し入れ可能な保冷部材保持部を備え、前記保冷部材保持部は、左右が開口したベルト通しの形状で、前記台襟の内台襟または外台襟に単数または複数縫製され、かつ横の長さは０．５ｃｍ〜５０ｃｍであり、利用者は冷却した前記保冷部材を前記保冷部材保持部に挿入して首周りを冷却することを特徴とする。
【０００７】
次に、本考案にかかる保冷シャツは、保冷剤が合成樹脂製の袋体に封入され、かつ前記袋体が横一列に接着代を介して複数連結されている保冷部材と、前記台襟は、前記保冷部材を着用時に見えないように保持すると共に前記台襟の上部から出し入れ可能にする開口部を有する保冷部材保持部を備え、前記保冷部材保持部は前記台襟の外台襟と内台襟の間に形成され、かつ台襟の外台襟上部が前記台襟の横方向の１／４〜３／４の長さで開口しており、さらに前記保冷部材を固定するために前記台襟の中央部から前記保冷部材の横方向１／２の長さの左右各々の位置が縫合されており、利用者は冷却した前記保冷部材を前記保冷部材保持部に挿入して首周りを冷却することを特徴とする。
【考案の効果】
【０００８】
第１に、台襟付きシャツの台襟に形成された保冷部材保持部に保冷部材が保持されているので、冷却された保冷部材の冷たさが着用者の首周りに伝わり、本考案にかかる保冷シャツを着用すると効果的な夏の暑さ対策となる。
第２に、保冷部材保持部には開口部が形成されているので、保冷部材交換時はシャツを着用したままでも短時間に、かつ容易に保冷部材を出し入れすることができる。
第３に、保冷部材は保冷剤と合成樹脂製の袋体から構成されており、かつ前記袋体が横一列に接着代を介して複数連結した形状になっているため、シャツの着用者の首のカーブに沿って保持される。そのため、着用時の冷却効果が高いだけでなく、ごろつき感や不快感が軽減され、外見からは保冷部材の存在がわからないようになる。従って、着用者は外見を気にすることなく、夏の暑さ対策を実現することができる。
【図面の簡単な説明】
【０００９】
【図１】実施例１の場合の本考案にかかる保冷シャツの内台襟付近の説明図である。
【図２】本考案にかかる保冷シャツで用いる保冷部材の説明図である。
【図３】実施例２の場合の本考案にかかる保冷シャツの外台襟付近の説明図である。
【考案を実施するための形態】
【００１０】
夏場の台襟付きシャツ着用者の通勤や野外作業時などにおける首周りを冷やし、暑さを軽減するという目的を、台襟付きシャツの台襟に保冷部材を保持する保冷部材保持部を形成することにより実現した。
【実施例１】
【００１１】
以下、図面を参照しながら、本考案の実施の形態について詳しく説明する。
図１は、実施例１の場合の本考案にかかる保冷シャツの内台襟付近の説明図である。
本考案にかかる保冷シャツは、保冷剤が封入された袋体１１を具備する保冷部材１０と、台襟２に保冷部材１０を着用時に見えないように保持し、かつ出し入れ可能にするための開口部５を有する保冷部材保持部４から構成されている。
【００１２】
図１は、上から襟１、台襟２、身頃３と構成されているが、保冷部材保持部４は、左右が開口したベルト通しの形状で、台襟２の内台襟または外台襟に単数または複数縫製され、かつ横の長さは０．５ｃｍ〜５０ｃｍである。
従って、保冷部材１０は、内台襟または外台襟に単数または複数縫製された、左右が開口したベルト通し状の保冷部材保持部４に横から挿入して保持されるので脱落しない。このように、シャツの台襟２に形成された保冷部材保持部４内に保冷部材１０が保持されているので、冷却された保冷部材１０の冷たさがシャツの着用者に伝わり、本考案にかかるシャツを着用すると効果的な夏の暑さ対策となる。
【００１３】
また、保冷部材１０は、保冷部材保持部４の左右の開口部を利用して保冷部材保持部４に出し入れ可能である。しかも、保冷部材保持部４は、左右が開口したベルト通しの形状なので、保冷部材１０の交換時はシャツを着用したままでも短時間に、かつ容易に保冷部材１０を出し入れすることができる。従って、使用して冷却効果が減少した保冷部材１０と新たに冷却された保冷部材１０の交換が容易である。
【００１４】
保冷部材１０が台襟２の内台襟または外台襟に単数または複数縫製された保冷部材保持部４の中に挿入されるので、着用時には保冷部材１０が保持されているシャツであるとはわからない。つまり、保冷部材保持部４を内台襟に縫製すれば、シャツ着用時に保冷部材４は首で隠れ、外台襟に縫製すれば保冷部材４は襟で隠れる。このように、保冷部材１０を着用時には見えないように保持しているので、シャツ着用者の周囲の人達に外見的に不自然な印象を与えない。
【００１５】
図２は、本考案にかかる保冷シャツで用いる保冷部材１０の説明図である。
保冷部材１０の横の長さが台襟２の横方向の長さ以下であり、保冷部材１０の縦の長さが縦方向の開口部５の長さ以下であれば、見えないように保持することが可能である。また、保冷部材１０は、保冷剤が合成樹脂製の袋体１１に封入され、かつ袋体１１が横一列に接着代１２を介して複数連結した形状になっている。
保冷部材１０の具体例としては、保冷剤が合成樹脂製の縦１〜３ｃｍ、横１〜７ｃｍの大きさの厚み０．５ｃｍ〜１．５ｃｍの袋体１１に封入され、かつ袋体１１が横一列に１ｃｍ以内の幅の接着代１２を介して４〜２５の数で連結した、台襟２の横方向の長さの１／３以上の長さの保冷部材１０であっても良い。図２は、袋体１１が横一列に６つ連結している例である。
【００１６】
保冷部材１０は保冷剤と合成樹脂製の袋体１１から構成されており、かつ袋体１１が横一列に１ｃｍ以内の幅の接着代１２を介して連結した形状になっているため、シャツの着用者の首のカーブに沿って保持される。そのため、着用時の冷却効果が高く、ごろつき感や不快感は軽減され、外見からは保冷部材１０の存在がわからないようになっている。従って、着用者は外見を気にすることなく、夏の暑さ対策を実現することができる。
【００１７】
台襟２の素材としては、綿など様々なものが利用可能である。吸水速乾生地や接触冷感素材を使用しても良い。また、本考案に用いられるシャツとしては、ワイシャツ、ポロシャツなど、台襟２を有する様々なシャツが利用可能である。
【実施例２】
【００１８】
図３は、実施例２の場合の本考案にかかる保冷シャツの外台襟付近の説明図である。
本考案にかかる保冷シャツは、保冷剤が封入された袋体１１を具備する保冷部材１０と、台襟２に保冷部材１０を着用時に見えないように保持し、かつ出し入れ可能にするための開口部５を有する保冷部材保持部４から構成されている。
【００１９】
図３は、上から襟１、台襟２、身頃３と構成されているが、保冷部材保持部４は台襟２の内台襟と外台襟の間に形成され、かつ台襟２の外台襟上部が台襟の横方向の１／４〜３／４の長さで開口している。
従って、保冷部材１０は内台襟と外台襟の間に保持され、着用時には外台襟の上部の開口部５の上から襟１が被さるので、脱落しないように保冷部材１０を保持することができる。
このようにシャツの台襟２に形成された保冷部材保持部４内に保冷部材１０が保持されているので、冷却された保冷部材１０の冷たさが台襟２を通して着用者に伝わり、本考案にかかるシャツを着用すると効果的な夏の暑さ対策となる。
【００２０】
また、保冷部材保持部４に保持する保冷部材１０は、開口部５を利用して保冷部材保持部４に出し入れ可能である。しかも、保冷部材保持部４の開口部５は台襟の横方向の１／４〜３／４の長さがあるので、保冷部材交換時はシャツを着用したままでも短時間に、かつ容易に保冷部材１０を出し入れすることができる。従って、使用して冷却効果が減少した保冷部材１０と新たに冷却された保冷部材１０の交換が容易である。
【００２１】
また、保冷部材１０が台襟２に形成された保冷部材保持部４の中に収められ、さらに着用時にはその上から襟１が被さることで完全に隠れるので、外見上は保冷部材１０が保持されているシャツであるとはわからない。つまり保冷部材１０がシャツの台襟２の中に完全に隠れる形で保持されるので、シャツ着用者の周囲の人達に外見的に不自然な印象を与えない。
【００２２】
保冷部材を固定するために台襟２中央部から左右各々へ保冷部材１０の横方向の１／２の長さの位置に位置ずれ防止用縫合６が施されているので、保冷部材保持部４に保持された保冷部材１０の着用時の位置ずれを防止することができる。
【００２３】
図２は、本考案にかかる保冷シャツで用いる保冷部材１０の説明図である。
保冷部材１０の横の長さは、保冷部材保持部４の横方向の長さ以下であり、保冷部材１０の縦の長さは、保冷部材保持部４の縦方向の長さ以下であれば保冷部材保持部４に保持することが可能である。また、保冷部材１０は、図２に示すように、保冷剤が合成樹脂製の袋体１１に封入され、かつ袋体１１が横一列に接着代１２を介して複数連結した形状になっている。
保冷部材１０の具体例としては、保冷剤が合成樹脂製の縦１〜３ｃｍ、横１〜７ｃｍの大きさの厚み０．５ｃｍ〜１．５ｃｍの袋体１１に封入され、かつ袋体１１が横一列に１ｃｍ以内の幅の接着代１２を介して４〜２５の数で連結した、台襟２の横方向の長さの１／３以上の長さの保冷部材１０であっても良い。図２は、袋体１１が横一列に６つ連結している例である。
【００２４】
保冷部材１０は保冷剤と合成樹脂製の袋体１１から構成されており、かつ袋体１１が横一列に１ｃｍ以内の幅の接着代１２を介して連結した形状になっているため、シャツの着用者の首のカーブに沿って保持される。そのため、着用時の冷却効果が高く、ごろつき感や不快感は軽減され、外見からは保冷部材１０の存在がわからないようになっている。従って、着用者は外見を気にすることなく、夏の暑さ対策を実現することができる。
【００２５】
保冷部材１０をシャツの着用中に保冷部材保持部４に入れる方法の一例について説明する。
まず、襟１を立てて、冷却した保冷部材１０の端部をシャツの台襟２の外台襟上部の開口部５から保冷部材保持部４の中に差し込み、左右の方向に縫合されている位置ずれ防止用縫合６にあたり、保冷部材１０が保冷部材保持部４の中に完全に隠れるまで挿入する。最後に、襟１を折って、台襟２に被せる。
次に、保冷部材１０をシャツの着用中に保冷部材保持部４から出す方法の一例について説明する。
まず、襟１を立てて、指を保冷部材保持部４の中に入れて、保冷部材保持部４内に保持されている保冷部材１０の中央上部を摘んで、そのまま上の方向に移動させて、保冷部材１０を保冷部材保持部４から引き出す。
【００２６】
台襟２の素材としては、綿など様々なものが利用可能である。吸水速乾生地や接触冷感素材を使用しても良い。また、本考案に用いられるシャツとしては、ワイシャツ、ポロシャツなど、台襟２を有する様々なシャツが利用可能である。
【符号の説明】
【００２７】
１  襟
２  台襟
３  身頃
４  保冷部材保持部
５  開口部
６  位置ずれ防止用縫合
１０  保冷部材
１１  袋体
１２  接着代
【図１】
0003175213.tif 000003
【図２】
0003175213.tif 000004
【図３】
0003175213.tif 000005